(57)【特許請求の範囲】
【請求項１】
大部屋の構造壁に沿って壁側パネルを設置するとともに、該壁側パネルに対して直角に単又は複数のサイドパネルを連結して設置し、該サイドパネルの遊端側に開閉可能なカーテン又は開閉可能な仕切手段を配置して個室化するためのパネルシステムにおいて、前記壁側パネル及びサイドパネルを、フレームに複数のパネル板を上下に着脱可能に配したブロックパネル構造とし、前記壁側パネルにオープン枠体を設けて前記構造壁に設置されている接続ボックスを露出させ、前記サイドパネルに開口窓を形成し、該開口窓には表裏両側に独立開閉可能な開閉戸を備えるとともに、各開閉戸の端縁に逃し凹部を形成し、且つ表裏両側の開閉戸に設けた各逃し凹部の高さ位置を、垂直面内で互に重ならないように上下にずらせて設定し、該開閉戸の閉止状態で前記接続ボックスに接続された配線類や配管類を、前記逃し凹部を通過させて配設することを可能とし、前記配線類や配管類を該逃し凹部に配設しているか否かに係わらず、前記開閉戸の閉止状態で透視不能となしていることを特徴とする大部屋の個室化パネルシステムにおける配線、配管類引き回し装置。
【請求項２】
前記開口窓における表裏両側の開閉戸に設けた各逃し凹部に、軟質部材を装着して該逃し凹部を塞ぎ、前記配線類や配管類を該逃し凹部に配設しているか否かに係わらず、前記開閉戸の閉止状態で透視不能となしている請求項１記載の大部屋の個室化パネルシステムにおける配線、配管類引き回し装置。
【請求項３】
前記開口窓は、四角形の窓枠を前記フレームに取付け、該窓枠を構成する上下横枠部材の対向面側であって、サイドパネルの表裏両側に沿って二対のレール部を形成し、各レール部に引戸からなる前記開閉戸をそれぞれスライド開閉可能に配し、前記逃し凹部を引手部として使用してなる請求項１又は２記載の大部屋の個室化パネルシステムにおける配線、配管類引き回し装置。
【請求項４】
前記開口窓の表裏両側の各開閉戸は、それぞれの側からのみ開閉動作を許容すべく、それぞれ側から操作する施錠具を設け、あるいはラッチの操作ハンドルを設けてなる請求項１〜３何れかに記載の大部屋の個室化パネルシステムにおける配線、配管類引き回し装置。
【発明の詳細な説明】
【技術分野】
【０００１】
本発明は、大部屋の個室化パネルシステムにおける配線、配管類引き回し装置に係わり、更に詳しくは既存の大部屋の病室を個室化するためのパネルシステムにおいて、個室間に配線類を引き渡すための配線、配管類引き回し装置に関するものである。
【背景技術】
【０００２】
従来、病院の大部屋病室は、廊下側の中央部に出入口があり、該出入口と対面する側には採光のための複数の窓を有し、その両側は構造壁で仕切られた構造が一般的であり、そして出入口から窓へ向かう通路となる共用空間を設け、その両側にベッドを取り囲むように設けられたカーテンで仕切られた個人用空間を設け、その空間内に構造壁側に頭が向くようにベッドが配置された形態が一般的であり、通常は４人部屋、あるいは６人部屋が多い。このような大部屋をカーテンのみで仕切った従来の個人用空間では、入院患者のプライバシーを確保することは殆ど不可能であるばかりでなく、他の患者に対する気遣いも必要であり、それが過度になると患者に心理的ストレスを生じさせたり、患者同士のトラブルの原因ともなり、お世辞にも快適な療養環境とは言えなかった。また、見舞い者や付添い人にとっても居心地が悪く、疲労感を増大させるものであった。
【０００３】
この改善策として、特許文献１には、病院の大部屋において左右で隣り合うベッドの間を床に設置するサイドパネルによって仕切り、前記各ベッドの頭部側には壁側パネルを設置すると共に、各ベッドの足元側は開閉可能なカーテンを配置した病院の大部屋に形成した個室が開示されている。ここで、前記サイドパネルに、前記ベッドを使用する患者の視野に入る部位に平面状画面のテレビ受像機、又は、該受像機の取付支持具を設けると共に、前記サイドパネル又は壁側パネルに前記ベッドに向けて人感知センサーを設ける点が開示されている。更に、パネルに積層タイプのブロックパネルを使用し、ブロックパネルの一部に光透過性のものを使用するか、又は、適宜の着色等を施したものを使用するか、若しくは、光透過性のパネルと着色等を施したパネルを使用する点、あるいはサイドパネル又は壁側パネルには、収納機能を有する収納壁ブロックを使用する点も開示されている。
【０００４】
前述の病室の構造壁には、呼び出しボタン等の各種のケア機器のコードやケーブル等の配線類を接続するため、あるいは酸素吸入器のホース等の配管類を接続するための接続ボックスが設けられているが、前記壁側パネルを構造壁に接近して配置する場合、前記接続ボックスを露出させるために壁側パネルの一部を開放しなければならない。このような接続ボックスは、単独使用タイプであれば構造壁の各ベッドに対応する壁面にそれぞれ設けられ、共用タイプであれば隣り合った二つのベッド間の壁面に設けられる。何れの場合でも、前記サイドパネルの設置位置によっては、接続ボックスに接続した配線類や配管類を、該サイドパネルを通過させて使用する状況が発生する。しかし、前述の特許文献１に記載されたパネルシステムは、このような状況においても使用に耐えるようにはなっていない。
【０００５】
尚、特許文献２には、オフイス空間を仕切るための壁体を備える間仕切りにおいて、表裏両側に開閉戸を有する開口窓を壁体に設け、前記開閉戸は垂直方向にスライドするスライド戸と、水平方向の回動軸を軸として開閉する回動戸とを備え、回動戸は略水平に成ったところで支持される構造が開示されているが、壁体を挟んだ両側の個室におけるプライバシーを保護するようにはなっていない。
【特許文献１】特開２００４−３５３４１６号公報（図１、図２）
【特許文献２】特開平７−１５０６６１号公報
【発明の開示】
【発明が解決しようとする課題】
【０００６】
そこで、本発明が前述の状況に鑑み、解決しようとするところは、既存の大部屋の構造壁に沿って壁側パネルを設置するとともに、該壁側パネルに対して直角に単又は複数のサイドパネルを連結して設置し、該サイドパネルの遊端側に開閉可能なカーテンを配置して個室化するためのパネルシステムにおいて、構造壁に設けられた接続ボックスに接続された配線類や配管類を、前記サイドパネルを通過して引き回すことが可能であるにも係わらず、該サイドパネルの両側の個室におけるプライバシーを保護することが可能な大部屋の個室化パネルシステムにおける配線、配管類引き回し装置を提供する点にある。
【課題を解決するための手段】
【０００７】
本発明は、前述の課題解決のために、大部屋の構造壁に沿って壁側パネルを設置するとともに、該壁側パネルに対して直角に単又は複数のサイドパネルを連結して設置し、該サイドパネルの遊端側に開閉可能なカーテン又は開閉可能な仕切手段を配置して個室化するためのパネルシステムにおいて、前記壁側パネル及びサイドパネルを、フレームに複数のパネル板を上下に着脱可能に配したブロックパネル構造とし、前記壁側パネルにオープン枠体を設けて前記構造壁に設置されている接続ボックスを露出させ、前記サイドパネルに開口窓を形成し、該開口窓には表裏両側に独立開閉可能な開閉戸を備えるとともに、各開閉戸の端縁に逃し凹部を形成し、且つ表裏両側の開閉戸に設けた各逃し凹部の高さ位置を、垂直面内で互に重ならないように上下にずらせて設定し、該開閉戸の閉止状態で前記接続ボックスに接続された配線類や配管類を、前記逃し凹部を通過させて配設することを可能とし、前記配線類や配管類を該逃し凹部に配設しているか否かに係わらず、前記開閉戸の閉止状態で透視不能となしている大部屋の個室化パネルシステムにおける配線、配管類引き回し装置を構成した（請求項１）。
【０００８】
また、前記開口窓における表裏両側の開閉戸に設けた各逃し凹部に、軟質部材を装着して該逃し凹部を塞ぎ、前記配線類や配管類を該逃し凹部に配設しているか否かに係わらず、前記開閉戸の閉止状態で透視不能となすことも好ましい（請求項２）。
【０００９】
そして、前記開口窓は、四角形の窓枠を前記フレームに取付け、該窓枠を構成する上下横枠部材の対向面側であって、サイドパネルの表裏両側に沿って二対のレール部を形成し、各レール部に引戸からなる前記開閉戸をそれぞれスライド開閉可能に配し、前記逃し凹部を引手部として使用してなることがより好ましい（請求項３）。
【００１０】
更に、前記開口窓の表裏両側の各開閉戸は、それぞれの側からのみ開閉動作を許容すべく、それぞれ側から操作する施錠具を設け、あるいはラッチの操作ハンドルを設けてなることが好ましい（請求項４）。
【発明の効果】
【００１１】
以上にしてなる請求項１に係る発明の大部屋の個室化パネルシステムにおける配線、配管類引き回し装置は、大部屋の構造壁に沿って壁側パネルを設置するとともに、該壁側パネルに対して直角に単又は複数のサイドパネルを連結して設置し、該サイドパネルの遊端側に開閉可能なカーテンを配置することにより、病室等の大部屋を個室化することができ、それによりサイドパネルの両側の個室におけるプライバシーを保護することができ、また構造壁に設けられた接続ボックスを、ブロックパネル構造の壁側パネルにオープン枠体を設けることにより露出させて、配線類や配管類を接続して使用することができる状況を確保するとともに、サイドパネルに形成した開口窓を通過させて反対側の個室空間へ配線類や配管類を引き回すことができ、しかも開閉戸の閉止状態でもその端縁の逃し凹部を通過させて配設することができるので、プライバシーを保護することができるのである。また、必要に応じて開閉戸を開き、開口窓を通して反対側の個室の患者と会話をすることができ、それにより長期入院患者に往々にしてありがちな孤立感、閉塞感を緩和することも可能である。また、開口窓における表裏両側の開閉戸に設けた各逃し凹部の高さ位置を、垂直面内で互に重ならないように上下にずらせて設定しているので、配線類や配管類を該逃し凹部に配設しているか否かに係わらず、開閉戸の閉止状態で透視不能となすことができる。また、配線類や配管類は、開口窓を通して配設するとともに、開閉戸を閉じた際にその逃し凹部を通過させるだけで、配線、配管作業を簡単に行うことができ、しかも確実にプライバシーを保護することができる。
【００１２】
請求項２によれば、開口窓における表裏両側の開閉戸に設けた各逃し凹部に、軟質部材を装着して該逃し凹部を塞ぐように設けているので、配線類や配管類を該逃し凹部に配設しているか否かに係わらず、前記開閉戸の閉止状態で透視不能となすことができる。また、配線類や配管類は、開口窓を通して配設するとともに、開閉戸を閉じた際にその逃し凹部を、軟質部材を変形させた状態で通過させるだけで、配線、配管作業を簡単に行うことができ、しかも確実にプライバシーを保護することができる。
【００１３】
請求項３によれば、開口窓は、四角形の窓枠をフレームに取付け、該窓枠を構成する上下横枠部材の対向面側であって、サイドパネルの表裏両側に沿って二対のレール部を形成し、各レール部に引戸からなる開閉戸をそれぞれスライド開閉可能に配するだけの構成であるので、ブロックパネル構造のサイドパネルに簡単に設けることができ、その位置の選択にも自由度があり、また位置変更も簡単に行うことができ、更に逃し凹部を引手部として使用することができるので、構造が単純になり安価に構成できる。
【００１４】
請求項４によれば、開口窓の表裏両側の各開閉戸は、それぞれの側からのみ開閉動作を許容すべく、それぞれ側から操作する施錠具を設け、あるいはラッチの操作ハンドルを設けてなるので、サイドパネルを挟んだ両個室の患者サイドの同意を前提として開閉戸を開くように物理的に制限することができる。
【発明を実施するための最良の形態】
【００１５】
次に、本発明の実施形態を添付図面に基づき詳細に説明する。図１は、本発明に係る大部屋の個室化パネルシステムが用いられた大部屋病室の例を示す平面図である。図１において、病院の大部屋病室Ｒは、廊下側の中央部に出入口Ｄがあり、該出入口Ｄと対面する側には採光のための複数の窓Ｗ，Ｗを有し、その両側は構造壁Ｃ，Ｃで仕切られており、出入口Ｄから窓Ｗ，Ｗ側まで共用空間Ｓが設けられている。そして、大部屋の個室化パネルシステムＡ，Ａにより、準個室Ｒ１〜Ｒ４が形成される。また、前記構造壁Ｃ側に頭部側を向けてベッドＢ，…が配置される。
【００１６】
大部屋の個室化パネルシステムＡは、大部屋Ｒの構造壁Ｃに沿って壁側パネル１，１を設置するとともに、該壁側パネル１，１に対して直角に連結されたサイドパネル２により形成される平面視略Ｔ字状とし、該サイドパネル２の遊端側の共用空間Ｓに面する位置にカーテンＣＴ，ＣＴを設けて、準個室Ｒ１，Ｒ２（Ｒ３，Ｒ４）間が仕切られる。ここで、前記カーテンＣＴの代わりに、扉付きパネル又は衝立等の開閉可能な仕切手段を配置してもよい。尚、該個室化パネルシステムＡは、壁側パネル１，…に対して、複数のサイドパネル２，…を、間隔を置いて平面視π字状に連結して構成してもよい。この場合は、一方の構造壁Ｃの側に三つの準個室が形成され、大部屋Ｒを６人部屋として使用できる。
【００１７】
このような大部屋の個室化パネルシステムＡ，…を用いると共に、該パネルシステムＡのサイドパネル２の遊端側に開閉可能なカーテンＣＴを配置すれば、既設の大部屋Ｒに、よりプライバシーが確保された準個室Ｒ１，…を容易に形成することができる。また、本発明に係る大部屋の個室化パネルシステムＡは、壁側パネル１，１にサイドパネル２を平面視略Ｔ字状、あるいは平面視π字状に連結した構造体であるので、床面Ｆに自立状態で設置することが可能であり、構造壁Ｃや床面Ｆに何ら手を加える必要がない。従って、既存の病院の大部屋Ｒに、短時間で簡単に設置することが可能であり、その際に騒音等が発生しないので、他の大部屋の入院患者はそのままの状態で施工することも可能である。
【００１８】
図２〜図４は、壁側パネル及びサイドパネルを構成する間仕切パネルの構造の説明図であり、図２は部分分解斜視図、図３はパネル板を縦枠に取付ける構造を示す部分分解斜視図、図４は、フレームの表裏両面にパネル板を取付けた状態を示す縦断側面図である。
【００１９】
壁側パネル１及びサイドパネル２を構成する間仕切パネルは、フレーム１１の表裏に複数枚のパネル板２１，…を上下方向に配列させて着脱可能とした積層タイプのブロックパネル構造である。フレーム１１は両側縦枠１２，１２間に複数の横枠１３，…を横設してなり、縦枠１２のパネル板２１取付面には開口１２ａ，…が形成されている。
【００２０】
パネル板２１の両側縁部の裏面（フレーム１１に対向する面）には、上下の取付孔２１ａ，２１ａが形成されている。そして、該上下の取付孔２１ａ，２１ａには、上部連結具３１及び下部連結具３２が内嵌される。そして、前記フレーム１１の両側の縦枠１２，１２に形成した上下左右の開口１２ａ，…に、前記下部連結具３２に設けた下向きフック３２ａを係止するとともに、前記上部連結具３１に設けた係合爪３１ａを抜止め状態で弾性係合させて前記パネル板２１を取付ける。従って、パネル板２１，…は、壁側パネル１及びサイドパネル２を構成する間仕切パネルのフレーム１１，…から容易に着脱することができる。尚、上下のパネル板２１，２１間には、横目地材２２が配設されており、上下のパネル板間の間隙を塞ぐと共に特に意匠面での統一感を向上することができる。
【００２１】
図５及び図６は、間仕切パネルの連結構造の説明図であり、図５は分解斜視図、図６は横断平面図である。連結ブロック４１は、水平方向の直交する４方向に間仕切パネルを連結することができる構造となっており、該４方向のうちの１方向には、直接縦枠１２が、その通孔１２ｂを通して取付ボルト４３を螺孔４１ｂに螺合させることにより取付けられる。そして、他の３方向には、通孔４２ｂ，４２ｂを通して螺孔４１ａ，４１ａに取付ネジ４４，４４を螺合させて取付部材４２を連結ブロック４１に固定した状態で、その通孔１２ｂを通して取付ボルト４３を取付部材４２の螺孔４２ａに螺合させることにより、縦枠１２を取付けることができる。
【００２２】
したがって、図５及び図６に示すように、平面視略Ｔ字状の個室化パネルシステムＡにおける壁側パネル１，１及びサイドパネル２を強固にかつ容易に連結することができる。なお、連結ブロック４１には、壁側パネル１，１及びサイドパネル２が連結されない部分に連結部カバー４５が装着され、壁側パネル１及びサイドパネル２間の目地部には、突起部４１ｃ，４１ｃに目地カバー４６，４６が装着される。また、サイドパネル２の遊端部には側カバー４７が装着される。
【００２３】
本実施形態では、前記準個室に面する壁側パネル１及びサイドパネル２は、それぞれ３枚の間仕切パネルを直線状に連結して構成されている。各間仕切パネルを直線状に連結するには、隣接するフレーム１１，１１の両側縦枠１２，１２同士を、その間に図示しない連結ブロックを介して直接ボルトで連結する。ここで、前記間仕切パネルは、横幅が９００ｍｍ、あるいは６００ｍｍ、厚さが９０ｍｍのものを使用している。また、前記パネル板２１の上下幅は、前記フレーム１１の縦枠１２に形成した開口１２ａ，…の最小上下間隔に取付けることが可能な最小基準幅の整数倍で自由に決定することができる。
【００２４】
次に、図７〜図１１に基づいて本発明の大部屋の個室化パネルシステムにおける配線、配管類引き回し装置を説明する。本発明は、大部屋Ｒの構造壁Ｃに沿って壁側パネル１，…を設置するとともに、該壁側パネル１，…に対して直角に単又は複数のサイドパネル２，…を連結して設置し、該サイドパネル２，…の遊端側に開閉可能なカーテンＣＴを配置して個室化するためのパネルシステムにおいて、前記壁側パネル１及びサイドパネル２を、フレーム１１に複数のパネル板２１，…を上下に着脱可能に配したブロックパネル構造とし、前記壁側パネル１にオープン枠体５１を設けて前記構造壁Ｃに設置されている接続ボックスＴを露出させ、前記サイドパネル２に開口窓６１を形成し、該開口窓６１には両側に独立開閉可能な開閉戸６２，６２を備えるとともに、各開閉戸６２の端縁に逃し凹部６３を形成し、該開閉戸６２の閉止状態で前記接続ボックスＴに接続された配線類や配管類Ｔ１を、前記逃し凹部６３、６３を通過させて配設したものである。
【００２５】
更に詳しくは、前記構造壁Ｃには、予め呼び出しボタンを接続したり、酸素吸入器に酸素を送る供給管を接続したり、痰を吸引する吸引管を接続するための接続ボックスＴが設けられている。この接続ボックスＴには、構造壁Ｃ内に配設した固定配管等が連結されているため、該接続ボックスＴを付け替えることは殆ど不可能である。このような状況のもとで、構造壁Ｃに沿って接近して前記壁側パネル１が設置される。そこで、前記接続ボックスＴに対応する壁側パネル１にオープン枠体５１を設けて、該接続ボックスＴを露出させて配線類や配管類Ｔ１を接続できるようにするのである。ここで、前記接続ボックスＴを複数の患者で共用する場合には、前記サイドパネル２を設置すると、空間がサイドパネル２で仕切られるので、該サイドパネル２を越えて配線類や配管類Ｔ１を配設する必要性が生じる。この場合、前記接続ボックスＴに接続した配線類や配管類Ｔ１を、前記サイドパネル２の上を越えさせて配設することも可能ではあるが、外観性を損なうばかりでなく、迂回するので配線類や配管類Ｔ１を長いものを用意しなければならず、また屈曲等が生じる危険性もある。そこで、本発明では、前記サイドパネル２に開閉可能な開口窓６１を設け、該開口窓６１を通して配線類や配管類Ｔ１を配設することができるようにするとともに、プライバシーを保護するために開閉戸６２を閉じた状態でも配線類や配管類Ｔ１を配設することができるようにしたのである。
【００２６】
前記オープン枠体５１は、四角形状に形成した枠体であり、前記パネル板２１をフレーム１１の縦枠１２，１２に取付ける構造と同様に、両側背面に突設したフックを前記縦枠１２の開口１２ａに嵌合係止して取付ける。また、前記オープン枠体５１には、上下横枠部材に設けた上下レール部に引戸を開閉可能に設け、あるいは回動扉を設け、前記接続ボックスＴを使用しないときには、引戸又は回動扉を閉じて接続ボックスＴを隠蔽することができる。本発明では、前記壁側パネル１にオープン枠体５１を設ける意味は、前記接続ボックスＴを使用するときに、該接続ボックスＴを、壁側パネル１を通して露出させることにあるので、常時オープンである必要性はなく、少なくとも開閉可能であれば足りるのである。
【００２７】
また、図９及び図１０に示すように、前記開口窓６１は、前記サイドパネル２を構成するフレーム１１の表裏両面に、四角形の前記窓枠６４，６４を取付けて開口部を形成するとともに、該開口部に開閉戸６２，６２を設けたものである。前記開口窓６１を設けた部分以外のフレーム１１には、前記パネル板２１，…を取付けて前記サイドパネル２を構成する間仕切パネルとしている。
【００２８】
前記窓枠６４は、アルミニウムの押出し型材の端部を４５度の角度で切断して両側縦枠部材６５，６５と上下横枠部材６６，６６を形成し、その切断部で突き合わせた状態でＬ金具にてネジ止め連結し、正面視四角形状となしたものである。ここで、前記縦枠部材６５は、断面略Ｌ字形を有し、前記フレーム１の縦枠１２の前面側に位置する表面部６５ａと縦枠１２の約半分の厚さだけ内側面に沿って進入する内側面部６５ｂとを有している。また、前記横枠部材６６も前記縦枠部材６５と同じ断面形状を有し、表面部６６ａと内側面部６６ｂを有する断面略Ｌ字形である。そして、前記窓枠６４の両縦枠部材６５，６５の表面部６５ａ，６５ａの背面側上下部に前記一対の開口１２ａ，１２ａに嵌合係止する係止具６７，６７をそれぞれ突設し、該係止具６７，…を所定高さの縦枠１２の開口１２ａ，…に嵌合係止して前記フレーム１の表裏両面から取付ける。そして、前記フレーム１の表裏両面に一対の窓枠６４，６４を取付けると、各窓枠６４，６４の内側面部６５ｂ，６５ｂ及び内側面部６６ｂ，６６ｂが突き合わされ、該フレーム１の縦枠１２を隠蔽し、両窓枠６４，６４で前記開口部の周囲が形成される。
【００２９】
そして、前記窓枠６４を構成する上下横枠部材６６，６６の対向面側にそれぞれ２条の凹溝からなるレール部６８，６８を形成し、該レール部６８，６８に引戸からなる開閉戸６２，６２を横方向スライド開閉可能に設けている。つまり、前記フレーム１１の表裏両側にそれぞれ窓枠６４が取付けられているので、両窓枠６４，６４をフレーム１１に取付けると、サイドパネル２の表裏両側に沿って二対のレール部６８，６８が形成され、各レール部６８，６８に、引戸からなる前記開閉戸６２，６２を、それぞれスライド開閉可能に設けることができるのである。ここで、前記開閉戸６２，６２のそれぞれの外側端縁に前記逃し凹部６３を形成し、該逃し凹部６３を引手部として使用するようにしている。
【００３０】
前記レール部６８は、前記横枠部材６６の押出し成形時に、内側面部６６ｂに同時に形成することも可能であるが、該横枠部材６６と縦枠部材６５と同じ断面形状にして、同一の押出し型材から形成する場合には、レール部６８を形成したレール部材を前記横枠部材６６の内側面部６６ｂにネジ止めや接着等によって設けるものとする。
【００３１】
本実施形態では、一方の側に設けた開閉戸６２は、２枚の不透過性板材で構成され、その外側端縁に引手部を兼ねる逃し凹部６３を切り欠いて形成し、前記窓枠６４のレール部３８の２条の凹溝に前後に引き違い可能に装着している。つまり、前記サイドパネル２の表裏両側に設けた一対の窓枠６４，６４にそれぞれ開閉戸６２，６２を設けることにより、二重窓構造が形成されている。
【００３２】
ここで、図１１に示すように、前記開口窓６１における表裏両側の開閉戸６２，６２に設けた各逃し凹部６３，６３の高さ位置を、垂直面内で互に重ならないように上下にずらせて設定することにより、前記配線類や配管類Ｔ１を該逃し凹部６３に配設しているか否かに係わらず、前記開閉戸の閉止状態で透視不能とし、プライバシーを保護することが可能である。また、前記開口窓６１を通して配設した配線類や配管類Ｔ１を、閉止状態の開閉戸６２の該逃し凹部６３を通過させることで、配線類や配管類Ｔ１を保持することも可能である。
【００３３】
また、前記開口窓６１における表裏両側の開閉戸６２，６２に設けた各逃し凹部６３，６３に、軟質部材（図示せず）を装着して該逃し凹部６３を塞ぎ、前記配線類や配管類Ｔ１を該逃し凹部６３に配設しているか否かに係わらず、前記開閉戸６２，６２の閉止状態で透視不能とすることが可能である。この場合は、表裏両側の開閉戸６２，６２に設けた各逃し凹部６３，６３の高さ位置が一致していても、軟質部材の存在により隙間が埋められるので透視することができない。更に、前記開閉戸６２は、シャッター式扉であっても良く、その場合には上下に開閉する構造でも構わないが、その場合にはシャッター式扉の閉止端側の縁部に前記同様な逃し凹部６３を形成し、表裏両面側のシャッター式扉における逃し凹部６３の位置を左右にずらせて配置するか、該逃し凹部６３に軟質部材を装着して透過不能とする。
【００３４】
更に、前記開口窓６１の表裏両側の各開閉戸６２，６２は、それぞれの側からのみ開閉動作を許容すべく、それぞれ側から操作する施錠具を設け、あるいはラッチの操作ハンドルを設けることが好ましい。それにより、前記サイドパネル２を挟んだ両個室の患者サイドの開放する旨の意思が一致しない場合には、開口窓６１は閉じたままとなってプライバシーを保ち、開放するのに同意した場合にのみ、開口窓６１を開いて互に会話を交わすことができる。
【産業上の利用可能性】
【００３５】
本発明に係る大部屋の個室化パネルシステムは、病院の大部屋病室に適用することを主な用途とするが、その他の既存の大部屋を個室化する用途、例えば簡易宿泊所、緊急避難所等において大部屋、例えば体育館や公民館等の室内を複数に区画して個室化する用途にも適用できるものである。
【図面の簡単な説明】
【００３６】
【図１】本発明に係る大部屋の個室化パネルシステムが用いられた大部屋病室の例を示す平面図である。
【図２】壁側パネル及びサイドパネルを構成する間仕切パネルの構造の部分分解斜視図である。
【図３】パネル板を縦枠に取付ける構造を示す部分分解斜視図である。
【図４】フレームの表裏両面にパネル板を取付けた状態を示す縦断側面図である。
【図５】間仕切パネルの連結構造を示す分解斜視図である。
【図６】同じく横断平面図である。
【図７】本発明の配線、配管類引き回し装置を採用した大部屋の個室化パネルシステムの簡略斜視図である。
【図８】開口窓を設けた間仕切パネルの斜視図である。
【図９】開口窓の構造を示す部分分解斜視図である。
【図１０】同じく開口窓の部分斜視図である。
【図１１】同じく開口窓の部分正面図である。
【符号の説明】
【００３７】
Ａ  大部屋の個室化パネルシステム    Ｂ  ベッド
Ｃ  構造壁                          Ｄ  出入口
ＣＴ  カーテン                      Ｒ  大部屋
Ｒ１〜Ｒ４  準個室                  Ｓ  共用空間
Ｗ  窓                              Ｆ  床面
Ｔ  接続ボックス                    Ｔ１  配線類、配管類
１  壁側パネル                      ２  サイドパネル
１１  フレーム                      １２  縦枠
１２ａ  開口                        １２ｂ  通孔
１３  横枠                          ２１  パネル板
２１ａ  取付孔                      ２２  横目地材
３１  上部連結具                    ３１ａ  係合爪
３２  下部連結具                    ３２ａ  フック
４１  連結ブロック                  ４１ａ，４１ｂ  螺孔
４１ｃ  突起部                      ４２  取付部材
４２ａ  螺孔                        ４２ｂ  通孔
４３  取付ボルト                    ４４  取付ネジ
４５  連結部カバー                  ４６  目地カバー
４７  側カバー                      ５１  オープン枠体
６１  開口窓                        ６２  開閉戸
６３  逃し凹部                      ６４  窓枠
６５  縦枠部材                      ６５ａ  表面部
６５ｂ  内側面部                    ６６  横枠部材
６６ａ  表面部                      ６６ｂ  内側面部
６７  係止具                        ６８  レール部
【図１】
0004655775.tif 000002
【図２】
0004655775.tif 000003
【図３】
0004655775.tif 000004
【図４】
0004655775.tif 000005
【図５】
0004655775.tif 000006
【図６】
0004655775.tif 000007
【図７】
0004655775.tif 000008
【図８】
0004655775.tif 000009
【図９】
0004655775.tif 000010
【図１０】
0004655775.tif 000011
【図１１】
0004655775.tif 000012